(57)【特許請求の範囲】
【請求項１】
光源の光出力口から射出されたほぼ平行光束状態の光を露光装置本体の光取入口まで導いて該光取入口へほぼ平行光束状態で入射させる伝送光学系であって、
前記光出力口と前記光取入口とを光学的にフーリエ変換の関係にする集光光学系と、
前記光出力口と前記集光光学系との間の光路中に配置されて、入射光束の角度分布の範囲よりも大きい範囲の角度分布を射出光束に付与する角度分布付与素子とを備えていることを特徴とする伝送光学系。
【請求項２】
前記角度分布付与素子は、回折光学素子を有することを特徴とする請求項１に記載の伝送光学系。
【請求項３】
前記回折光学素子は、前記光出力口の直後の位置に配置されていることを特徴とする請求項２に記載の伝送光学系。
【請求項４】
前記回折光学素子は、矩形状の断面を有する平行光束が入射したときにファーフィールドに環状の断面を有する光束を形成する回折特性を有することを特徴とする請求項２または３に記載の伝送光学系。
【請求項５】
前記回折光学素子は、矩形状の断面を有する平行光束が入射したときにファーフィールドに複数極状の断面を有する光束を形成する回折特性を有することを特徴とする請求項２または３に記載の伝送光学系。
【請求項６】
光源からの光により被照射面を照明する照明光学系において、
請求項１乃至５のいずれか１項に記載の伝送光学系と、
前記露光装置本体の前記光取入口に配置されて、入射光を空間的に変調して射出する空間光変調素子とを備えていることを特徴とする照明光学系。
【請求項７】
前記空間光変調素子を介した光に基づいて、前記照明光学系の照明瞳に所定の光強度分布を形成する分布形成光学系をさらに備えていることを特徴とする請求項６に記載の照明光学系。
【請求項８】
前記分布形成光学系は、オプティカルインテグレータと、該オプティカルインテグレータと前記空間光変調素子との間の光路中に配置された集光光学系とを有することを特徴とする請求項７に記載の照明光学系。
【請求項９】
前記空間光変調素子は、回折光学素子を有することを特徴とする請求項６乃至８のいずれか１項に記載の照明光学系。
【請求項１０】
前記空間光変調素子は、所定面に沿って配列されて個別に制御される複数の光学要素を有する空間光変調器を備えていることを特徴とする請求項６乃至９のいずれか１項に記載の照明光学系。
【請求項１１】
所定のパターンを照明するための請求項６乃至１０のいずれか１項に記載の照明光学系を備え、前記所定のパターンを感光性基板に露光することを特徴とする露光装置。
【請求項１２】
前記所定のパターンの像を前記感光性基板上に形成する投影光学系を備えていることを特徴とする請求項１１に記載の露光装置。
【請求項１３】
前記照明光学系の照明瞳は前記投影光学系の開口絞りと光学的に共役な位置であることを特徴とする請求項１２に記載の露光装置。
【請求項１４】
請求項１１乃至１３のいずれか１項に記載の露光装置を用いて、前記所定のパターンを前記感光性基板に露光することと、
前記所定のパターンが転写された前記感光性基板を現像し、前記所定のパターンに対応する形状のマスク層を前記感光性基板の表面に形成することと、
前記マスク層を介して前記感光性基板の表面を加工することと、を含むことを特徴とするデバイス製造方法。
【発明の詳細な説明】
【技術分野】
【０００１】
本発明は、伝送光学系、照明光学系、露光装置、およびデバイス製造方法に関する。さらに詳細には、半導体素子、撮像素子、液晶表示素子、薄膜磁気ヘッド等のデバイスをリソグラフィー工程で製造するための露光装置の照明光学系に好適な伝送光学系に関するものである。
【背景技術】
【０００２】
この種の露光装置の本体は、全体的にかなり大きな装置であり、設置のための所要床面積は大きい。また、露光装置に露光光（照明光）を供給する光源として、たとえばＫｒＦエキシマレーザ光源やＡｒＦエキシマレーザ光源が用いられるが、エキシマレーザ光源もかなり大きな装置である。したがって、エキシマレーザ光源を用いる露光装置では、光源装置を露光装置本体からある程度離間させて配置することが多い。
【０００３】
そこで、エキシマレーザ光源の光出力口から射出された光を露光装置本体の光取入口まで導くための光学系として、リレーレンズ系と複数の平面反射鏡とを含む伝送光学系が提案されている（例えば特許文献１を参照）。この伝送光学系は、光源から射出されたほぼ平行光束状態の光を露光装置本体まで導いて、露光装置本体へほぼ平行光束状態で入射させる。
【先行技術文献】
【特許文献】
【０００４】
【特許文献１】米国特許第５，７３１，５７７号公報
【発明の概要】
【発明が解決しようとする課題】
【０００５】
上述の伝送光学系では、光源の光出力口から露光装置本体の光取入口までの光の引き回しレイアウトの自由度を確保するために、例えば数ｍ程度の引き回し光路のうち、光出力口側の端光路および光取入口側の端光路を除く中間光路中に、できるだけレンズを配置しない構成が要求される。
【０００６】
エキシマレーザ光源から射出される光束は、矩形状の断面の中心部において光強度（エネルギー密度）が最も大きく且つその周辺部に向かって光強度が徐々に低下する形態の強度分布、すなわちガウシアン的な光強度分布を有する。その結果、従来の構成では、光取入口に配置される空間光変調素子に対してもガウシアン的な光強度分布の光束が入射し、エネルギー密度の高い光の照射により、光取入口に配置される空間光変調素子が部分的に損傷を受け易い。
【０００７】
本発明は、前述の課題に鑑みてなされたものであり、光源から射出された光の強度分布を平滑化して露光装置本体の光取入口へ入射させることのできる伝送光学系を提供することを目的とする。また、本発明は、光源から射出された光の強度分布を平滑化して露光装置本体の光取入口へ入射させる伝送光学系を用いて、光学素子が光照射による損傷を受けにくい耐久性の高い照明光学系を提供することを目的とする。また、本発明は、光学素子が光照射による損傷を受けにくい耐久性の高い照明光学系を用いて、所要の照明条件に基づく露光を安定的に行うことのできる露光装置を提供することを目的とする。
【課題を解決するための手段】
【０００８】
前記課題を解決するために、本発明の第１形態では、光源の光出力口から射出されたほぼ平行光束状態の光を露光装置本体の光取入口まで導いて該光取入口へほぼ平行光束状態で入射させる伝送光学系であって、
前記光出力口と前記光取入口とを光学的にフーリエ変換の関係にする集光光学系と、
前記光出力口と前記集光光学系との間の光路中に配置されて、入射光束の角度分布の範囲よりも大きい範囲の角度分布を射出光束に付与する角度分布付与素子とを備えていることを特徴とする伝送光学系を提供する。
【０００９】
本発明の第２形態では、光源からの光により被照射面を照明する照明光学系において、
第１形態の伝送光学系と、
前記露光装置本体の前記光取入口に配置されて、入射光を空間的に変調して射出する空間光変調素子とを備えていることを特徴とする照明光学系を提供する。
【００１０】
本発明の第３形態では、所定のパターンを照明するための第２形態の照明光学系を備え、前記所定のパターンを感光性基板に露光することを特徴とする露光装置を提供する。
【００１１】
本発明の第４形態では、第３形態の露光装置を用いて、前記所定のパターンを前記感光性基板に露光することと、
前記所定のパターンが転写された前記感光性基板を現像し、前記所定のパターンに対応する形状のマスク層を前記感光性基板の表面に形成することと、
前記マスク層を介して前記感光性基板の表面を加工することと、を含むことを特徴とするデバイス製造方法を提供する。
【発明の効果】
【００１２】
本発明の伝送光学系では、光源から射出された光の強度分布を平滑化して露光装置本体の光取入口へ入射させることができる。本発明の照明光学系では、光源から射出された光の強度分布を平滑化して露光装置本体の光取入口へ入射させる伝送光学系を用いているので、例えば光取入口に配置された空間光変調素子が光照射による損傷を受けにくく、高い耐久性を実現することができる。本発明の露光装置では、例えばエキシマレーザ光源に対して耐久性の高い照明光学系を用いているので、所要の照明条件に基づく露光を安定的に行うことができ、ひいては良好なデバイスを安定的に製造することができる。
【図面の簡単な説明】
【００１３】
【図１】本発明の実施形態にかかる露光装置の全体構成を概略的に示す図である。
【図２】図１の露光装置本体の内部構成を概略的に示す図である。
【図３】本実施形態にかかる伝送光学系の構成を概略的に示す図である。
【図４】光源から射出される光束の光強度分布を模式的に示す図である。
【図５】比較例にかかる伝送光学系の構成を概略的に示す図である。
【図６】角度分布付与素子としての回折光学素子の回折特性を示す図である。
【図７】光源内の仮想的な面光源からの射出光束の光強度分布を単一の等強度線で模式的に示す図である。
【図８】図６の回折特性を有する回折光学素子を用いたときに光取入口に達する光束の光強度分布を模式的に示す図である。
【図９】角度分布付与素子としての別の回折光学素子の回折特性を示す図である。
【図１０】図９の回折特性を有する回折光学素子を用いたときに光取入口に達する光束の光強度分布を模式的に示す図である。
【図１１】アレイ状に配列されて個別に駆動制御される複数の微小な要素ミラーにより構成された空間光変調器の要部構成を概略的に示す図である。
【図１２】半導体デバイスの製造工程を示すフローチャートである。
【図１３】液晶表示素子等の液晶デバイスの製造工程を示すフローチャートである。
【発明を実施するための形態】
【００１４】
本発明の実施形態を、添付図面に基づいて説明する。図１は、本発明の実施形態にかかる露光装置の全体構成を概略的に示す図である。図２は、図１の露光装置本体の内部構成を概略的に示す図である。図２では、感光性基板であるウェハＷの露光面（転写面）の法線方向に沿ってＺ軸を、ウェハＷの露光面内において図２の紙面に平行な方向にＸ軸を、ウェハＷの露光面内において図２の紙面に垂直な方向にＹ軸をそれぞれ設定している。
【００１５】
図１を参照すると、本実施形態の露光装置では、レーザ光源ＬＳから露光光（照明光）が供給される。レーザ光源ＬＳとして、たとえば１９３ｎｍの波長の光を供給するＡｒＦエキシマレーザ光源や２４８ｎｍの波長の光を供給するＫｒＦエキシマレーザ光源などを用いることができる。レーザ光源ＬＳから−Ｙ方向に沿って射出された矩形状（Ｘ方向に沿った一辺およびＺ方向に沿った他辺を有する矩形状）の断面を有する光束は、回折光学素子２ａを経て、第１ミラー２ｃに入射する。
【００１６】
回折光学素子２ａは、レーザ光源ＬＳの光出力口の直後の位置に配置されている。第１ミラー２ｃにより＋Ｚ方向に偏向された光束は、第２ミラー２ｄにより−Ｘ方向に反射された後、第３ミラー２ｅに入射する。第３ミラー２ｅにより＋Ｚ方向に偏向された光束は、集光光学系２ｂを経て、露光装置本体ＥＡの光取入口に配置された回折光学素子３に入射する。回折光学素子３は、後述するように、瞳強度分布を形成するために入射光を空間的に変調して射出する空間光変調素子として機能する。
【００１７】
本実施形態では、Ｚ方向が鉛直方向に対応し、露光装置本体ＥＡがレーザ光源ＬＳの上階に設置されているものとする。こうして、回折光学素子２ａ、集光光学系２ｂ、および３つの光路折り曲げ用のミラー２ｃ〜２ｅは、レーザ光源ＬＳの光出力口から射出されたほぼ平行光束状態の光を露光装置本体ＥＡの光取入口まで導いて該光取入口へほぼ平行光束状態で入射させる伝送光学系２を構成している。伝送光学系２の具体的な構成および作用については後述する。
【００１８】
図２を参照すると、回折光学素子３を経た光は、アフォーカルレンズ４に入射する。アフォーカルレンズ４は、前側レンズ群４ａと後側レンズ群４ｂとからなり、前側レンズ群４ａの前側焦点位置と回折光学素子３の位置とがほぼ一致し且つ後側レンズ群４ｂの後側焦点位置と図中破線で示す所定面５の位置とがほぼ一致するように設定されたアフォーカル系（無焦点光学系）である。回折光学素子３は、基板に露光光（照明光）の波長程度のピッチを有する段差を形成することによって構成され、入射ビームを所望の角度に回折する作用を有する。以下、説明を簡単にするために、回折光学素子３は、輪帯照明用の回折光学素子であるものとする。
【００１９】
輪帯照明用の回折光学素子３は、矩形状の断面を有する平行光束が入射した場合に、ファーフィールド（またはフラウンホーファー回折領域）に輪帯状の光強度分布を形成する機能を有する。したがって、回折光学素子３に入射したほぼ平行光束は、アフォーカルレンズ４の瞳面に輪帯状の光強度分布を形成した後、輪帯状の角度分布でアフォーカルレンズ４から射出される。アフォーカルレンズ４の瞳位置またはその近傍には、円錐アキシコン系６が配置されている。円錐アキシコン系６の構成および作用については後述する。
【００２０】
アフォーカルレンズ４を介した光は、σ値（σ値＝照明光学系のマスク側開口数／投影光学系のマスク側開口数）可変用のズームレンズ７を介して、オプティカルインテグレータとしてのマイクロフライアイレンズ（またはフライアイレンズ）８に入射する。マイクロフライアイレンズ８は、例えば縦横に且つ稠密に配列された多数の正屈折力を有する微小レンズからなる光学素子であって、平行平面板にエッチング処理を施して微小レンズ群を形成することによって構成されている。
【００２１】
マイクロフライアイレンズを構成する各微小レンズは、フライアイレンズを構成する各レンズエレメントよりも微小である。また、マイクロフライアイレンズは、互いに隔絶されたレンズエレメントからなるフライアイレンズとは異なり、多数の微小レンズ（微小屈折面）が互いに隔絶されることなく一体的に形成されている。しかしながら、正屈折力を有するレンズ要素が縦横に配置されている点でマイクロフライアイレンズはフライアイレンズと同じ波面分割型のオプティカルインテグレータである。なお、マイクロフライアイレンズ８として、例えばシリンドリカルマイクロフライアイレンズを用いることもできる。シリンドリカルマイクロフライアイレンズの構成および作用は、例えば米国特許第６９１３３７３号公報に開示されている。
【００２２】
所定面５の位置はズームレンズ７の前側焦点位置またはその近傍に配置され、マイクロフライアイレンズ８の入射面はズームレンズ７の後側焦点位置またはその近傍に配置されている。換言すると、ズームレンズ７は、所定面５とマイクロフライアイレンズ８の入射面とを実質的にフーリエ変換の関係に配置し、ひいてはアフォーカルレンズ４の瞳面とマイクロフライアイレンズ８の入射面とを光学的にほぼ共役に配置している。
【００２３】
したがって、マイクロフライアイレンズ８の入射面上には、アフォーカルレンズ４の瞳面と同様に、たとえば光軸ＡＸを中心とした輪帯状の照野が形成される。この輪帯状の照野の全体形状は、ズームレンズ７の焦点距離に依存して相似的に変化する。マイクロフライアイレンズ８に入射した光束は二次元的に分割され、その後側焦点面またはその近傍の位置には、マイクロフライアイレンズ８の入射面に形成される照野とほぼ同じ光強度分布を有する二次光源、すなわち光軸ＡＸを中心とした輪帯状の実質的な面光源からなる二次光源（瞳強度分布）が形成される。
【００２４】
マイクロフライアイレンズ８の後側焦点面またはその近傍には、必要に応じて、輪帯状の二次光源に対応した輪帯状の開口部（光透過部）を有する照明開口絞り９が配置されている。照明開口絞り９は、照明光路に対して挿脱自在に構成され、且つ大きさおよび形状の異なる開口部を有する複数の開口絞りと切り換え可能に構成されている。開口絞りの切り換え方式として、たとえば周知のターレット方式やスライド方式などを用いることができる。照明開口絞り９は、投影光学系ＰＬの入射瞳面と光学的にほぼ共役な位置に配置され、二次光源の照明に寄与する範囲を規定する。
【００２５】
マイクロフライアイレンズ８および照明開口絞り９を経た光は、コンデンサー光学系１０を介して、マスクブラインド１１を重畳的に照明する。こうして、照明視野絞りとしてのマスクブラインド１１には、マイクロフライアイレンズ８の微小レンズの形状と焦点距離とに応じた矩形状の照野が形成される。マスクブラインド１１の矩形状の開口部（光透過部）を経た光は、前側レンズ群１２ａと後側レンズ群１２ｂとからなる結像光学系１２を介して、所定のパターンが形成されたマスクＭを重畳的に照明する。すなわち、結像光学系１２は、マスクブラインド１１の矩形状開口部の像をマスクＭ上に形成することになる。
【００２６】
マスクステージＭＳ上に保持されたマスクＭには、転写すべきパターンが形成されている。マスクＭのパターンを透過した光は、投影光学系ＰＬを介して、ウェハステージＷＳ上に保持されたウェハ（感光性基板）Ｗ上にマスクパターンの像を形成する。こうして、投影光学系ＰＬの光軸ＡＸと直交する平面（ＸＹ平面）内においてウェハＷを二次元的に駆動制御しながら一括露光またはスキャン露光を行うことにより、ウェハＷの各露光領域にはマスクＭのパターンが逐次露光される。
【００２７】
円錐アキシコン系６は、光源側から順に、光源側に平面を向け且つマスク側に凹円錐状の屈折面を向けた第１プリズム部材６ａと、マスク側に平面を向け且つ光源側に凸円錐状の屈折面を向けた第２プリズム部材６ｂとから構成されている。そして、第１プリズム部材６ａの凹円錐状の屈折面と第２プリズム部材６ｂの凸円錐状の屈折面とは、互いに当接可能なように相補的に形成されている。また、第１プリズム部材６ａおよび第２プリズム部材６ｂのうち少なくとも一方の部材が光軸ＡＸに沿って移動可能に構成され、第１プリズム部材６ａと第２プリズム部材６ｂとの間隔が可変に構成されている。
【００２８】
ここで、第１プリズム部材６ａと第２プリズム部材６ｂとが互いに当接している状態では、円錐アキシコン系６は平行平面板として機能し、形成される輪帯状の二次光源に及ぼす影響はない。しかしながら、第１プリズム部材６ａと第２プリズム部材６ｂとを離間させると、輪帯状の二次光源の幅（輪帯状の二次光源の外径と内径との差の１／２）を一定に保ちつつ、輪帯状の二次光源の外径（内径）が変化する。すなわち、輪帯状の二次光源の輪帯比（内径／外径）および大きさ（外径）が変化する。
【００２９】
ズームレンズ７は、輪帯状の二次光源の全体形状を相似的に拡大または縮小する機能を有する。たとえば、ズームレンズ７の焦点距離を最小値から所定の値へ拡大させることにより、輪帯状の二次光源の全体形状が相似的に拡大される。換言すると、ズームレンズ７の作用により、輪帯状の二次光源の輪帯比が変化することなく、その幅および大きさ（外径）がともに変化する。このように、円錐アキシコン系６およびズームレンズ７の作用により、輪帯状の二次光源の輪帯比と大きさ（外径）とを制御することができる。
【００３０】
本実施形態では、上述したように、マイクロフライアイレンズ８により形成される二次光源を光源として、照明光学系（２〜１２）の被照射面に配置されるマスクＭをケーラー照明する。このため、二次光源が形成される位置は投影光学系ＰＬの開口絞りＡＳの位置と光学的に共役であり、二次光源の形成面を照明光学系（２〜１２）の照明瞳面と呼ぶことができる。典型的には、照明瞳面に対して被照射面（マスクＭが配置される面、または投影光学系ＰＬを含めて照明光学系と考える場合にはウェハＷが配置される面）が光学的なフーリエ変換面となる。
【００３１】
なお、瞳強度分布とは、照明光学系（２〜１２）の照明瞳面または当該照明瞳面と光学的に共役な面における光強度分布（輝度分布）である。マイクロフライアイレンズ８による波面分割数が比較的大きい場合、マイクロフライアイレンズ８の入射面に形成される大局的な光強度分布と、二次光源全体の大局的な光強度分布（瞳強度分布）とが高い相関を示す。このため、マイクロフライアイレンズ８の入射面および当該入射面と光学的に共役な面における光強度分布についても瞳強度分布と称することができる。
【００３２】
輪帯照明用の回折光学素子３に代えて、複数極照明（２極照明、４極照明、８極照明など）用の回折光学素子（不図示）を照明光路中に設定することによって、複数極照明を行うことができる。複数極照明用の回折光学素子は、矩形状の断面を有する平行光束が入射した場合に、ファーフィールドに複数極状（２極状、４極状、８極状など）の光強度分布を形成する機能を有する。したがって、複数極照明用の回折光学素子を介した光束は、マイクロフライアイレンズ８の入射面に、たとえば光軸ＡＸを中心とした複数の所定形状（円弧状、円形状など）の照野からなる複数極状の照野を形成する。その結果、マイクロフライアイレンズ８の後側焦点面またはその近傍にも、その入射面に形成された照野と同じ複数極状の二次光源が形成される。
【００３３】
また、輪帯照明用の回折光学素子３に代えて、円形照明用の回折光学素子（不図示）を照明光路中に設定することによって、通常の円形照明を行うことができる。円形照明用の回折光学素子は、矩形状の断面を有する平行光束が入射した場合に、ファーフィールドに円形状の光強度分布を形成する機能を有する。したがって、円形照明用の回折光学素子を介した光束は、マイクロフライアイレンズ８の入射面に、たとえば光軸ＡＸを中心とした円形状の照野を形成する。その結果、マイクロフライアイレンズ８の後側焦点面またはその近傍にも、その入射面に形成された照野と同じ円形状の二次光源が形成される。このような回折光学素子は、たとえば米国特許第５，８５０，３００号公報および米国特許公開第２００８／００７４７４６号公報に開示されている。また、輪帯照明用の回折光学素子３に代えて、適当な特性を有する回折光学素子（不図示）を照明光路中に設定することによって、様々な形態の変形照明を行うことができる。回折光学素子３の切り換え方式として、たとえば周知のターレット方式やスライド方式などを用いることができる。
【００３４】
図３は、本実施形態にかかる伝送光学系の構成を概略的に示す図である。図３では、回折光学素子２ａと集光光学系２ｂとの間に配置された光路折り曲げ用のミラー２ｃ〜２ｅを省略し、レーザ光源ＬＳと回折光学素子３との間の光路を照明光学系の光軸ＡＸに沿って直線状に展開している。また、図３では、直線状に延びる光軸ＡＸの方向に沿ってｙ軸を設定し、ｙ軸と直交する面内において図３の紙面に平行にｚ軸を、ｙ軸と直交する面内において図３の紙面に垂直にｘ軸を設定している。
【００３５】
本実施形態の伝送光学系２において、回折光学素子２ａは、レーザ光源ＬＳの光出力口ＬＳａの直後の位置に配置されている。集光光学系２ｂは、その後側焦点位置が露光装置本体ＥＡの光取入口ＥＡａとほぼ一致するように配置されている。換言すれば、集光光学系２ｂは、例えば光取入口ＥＡａから比較的近い位置に配置されて、光出力口ＬＳａと光取入口ＥＡａとを光学的にほぼフーリエ変換の関係にするフーリエ光学系である。その結果、回折光学素子２ａと光取入口ＥＡａとは、光学的にほぼフーリエ変換の関係にある。
【００３６】
以下、例えばエキシマレーザ光源のようなレーザ光源ＬＳの光出力口ＬＳａから射出される光束が、発散角が非常に小さいほぼ平行光束であって、ｘ方向に沿って長辺を有し且つｚ方向に沿って短辺を有する矩形状の断面を有するものとする。この場合、短辺方向であるｚ方向は、マスクＭ上に形成される矩形状の照明領域の短辺方向に対応し、ひいてはウェハＷ上に形成される矩形状の静止露光領域の短辺方向に対応している。光出力口ＬＳａから射出される光束は、図４に模式的に示すように、その断面の中心部において光強度（エネルギー密度）が最も大きく且つその周辺部に向かって光強度が徐々に低下するガウシアン的な強度分布を有する。
【００３７】
図３を参照すると、レーザ光源ＬＳの内部構成が、仮想的な面光源ＬＳｂと仮想的な正レンズＬＳｃとにより光学的にモデル化されている。すなわち、レーザ光源ＬＳでは、仮想的な面光源ＬＳｂからの光束が仮想的な正レンズＬＳｃの集光作用を受けて、光出力口ＬＳａから発散角が非常に小さいほぼ平行光束になって射出されるものと光学的に仮定することができる。この場合、レーザ光源ＬＳ内の仮想的な面光源ＬＳｂと回折光学素子３が配置された光取入口ＥＡａとは光学的にほぼ共役である。また、仮想的な面光源ＬＳｂと光出力口ＬＳａ（ひいては回折光学素子２ａ）とは、光学的にほぼフーリエ変換の関係にある。そして、仮想的な面光源ＬＳｂから射出される光束は、光出力口ＬＳａからの射出光束と同様に、ガウシアン的な強度分布を有する。
【００３８】
図５に示す比較例にかかる伝送光学系では、従来技術にしたがって、レーザ光源の光出力口ＬＳａから射出されたほぼ平行光束を、露光装置本体の光取入口ＥＡａから比較的近い位置に配置された屈折力の弱い正レンズ５０の集光作用により所要の大きさにして、光取入口ＥＡａに入射させている。この場合、光取入口ＥＡａに入射する光束は、光出力口ＬＳａからの射出光束と同様に、ガウシアン的な強度分布を有する。
【００３９】
その結果、図５に示す比較例の構成では、露光装置本体の光取入口ＥＡａに配置されて例えば石英により形成された回折光学素子３が、入射光束の中心部におけるエネルギー密度の高い光の照射により部分的に損傷を受け易い。回折光学素子３が光照射による損傷を受けると、マイクロフライアイレンズ８の後側焦点面またはその近傍の照明瞳に、ひいては投影光学系ＰＬの瞳面（開口絞りＡＳの位置）に所要の瞳強度分布を安定的に形成すること、すなわち所要の照明条件を安定的に実現することができなくなる。
【００４０】
本実施形態の伝送光学系２は、上述したように、レーザ光源ＬＳの光出力口ＬＳａと露光装置本体ＥＡの光取入口ＥＡａとを光学的にフーリエ変換の関係にする集光光学系２ｂと、光出力口ＬＳａの直後の位置に配置されて所定の回折特性を有する回折光学素子２ａとを備えている。回折光学素子２ａは、入射光束の角度分布の範囲よりも大きい範囲の角度分布を射出光束に付与する角度分布付与素子として機能する。具体的に、回折光学素子２ａは、図６に示すように、矩形状の断面を有する平行光束が入射したときに、ファーフィールドに環状（図６では例示的にｚ方向に細長い楕円細線状）の断面を有する光束２１を形成する回折特性（発散角特性）を有する。
【００４１】
レーザ光源ＬＳ内の仮想的な面光源ＬＳｂからの射出光束は、図７に単一の等強度線によって模式的に示すように、例えばｘ方向に細長い楕円状の等強度線２２を含むガウシアン的な強度分布を有する光束である。すなわち、仮想的な面光源ＬＳｂからの射出光束は、図７において図示を省略しているが、ほぼ同心の複数の楕円状の等強度線を有する。
【００４２】
こうして、レーザ光源ＬＳから回折光学素子２ａおよび集光光学系２ｂを介して光取入口ＥＡａに配置された回折光学素子３に入射する光束は、図８に示すように、レーザ光源ＬＳ内の仮想的な面光源ＬＳｂからの射出光束のガウシアン的な強度分布（図７を参照）と、回折光学素子２ａのファーフィールド分布（図６を参照）とをコンボリューションした強度分布２３を有することになる。すなわち、伝送光学系２は、レーザ光源ＬＳから射出された光のガウシアン的な強度分布を平滑化した強度分布２３、すなわち全体としてトップハット的な強度分布２３を有する光を回折光学素子３に入射させる。
【００４３】
以上のように、本実施形態の伝送光学系２では、光出力口ＬＳａの直後に配置されて所定の回折特性を有する回折光学素子２ａと、光出力口ＬＳａと光取入口ＥＡａとを光学的にフーリエ変換の関係にする集光光学系２ｂとの協働作用により、レーザ光源ＬＳから射出された光のガウシアン的な強度分布を平滑化して露光装置本体ＥＡの光取入口ＥＡａ（ひいては光取入口ＥＡａに配置された回折光学素子３）へ入射させることができる。
【００４４】
本実施形態の照明光学系（２〜１２）では、レーザ光源ＬＳから射出された光の強度分布を平滑化して露光装置本体ＥＡの光取入口ＥＡａへ入射させる伝送光学系２を用いているので、光取入口ＥＡａに配置された空間光変調素子としての回折光学素子３が光照射による損傷を受けにくく、高い耐久性を実現することができる。本実施形態の露光装置（２〜ＷＳ）では、例えばエキシマレーザ光源のようなレーザ光源ＬＳに対して耐久性の高い照明光学系（２〜１２）を用いているので、所要の照明条件に基づく露光を安定的に行うことができる。
【００４５】
特に、本実施形態では、伝送光学系２により平準化された強度分布２３を有する光が回折光学素子３に入射するので、回折光学素子３の耐久性が向上するだけでなく、回折光学素子３の各セルの回折作用の平均化効果を良好に発揮することができる。
【００４６】
なお、上述の実施形態では、回折光学素子２ａが、ファーフィールドに環状の断面を有する光束２１を形成する回折特性を有する。しかしながら、これに限定されることなく、角度分布付与素子としての回折光学素子の回折特性については様々な形態が可能である。例えば、図９に示すように、矩形状の断面を有する平行光束が入射したときに、ファーフィールドに複数極状（図９では例示的に４点ドット状）の断面を有する光束２４を形成する回折特性を有する回折光学素子を角度分布付与素子として用いる変形例も可能である。
【００４７】
この変形例では、図１０に示すように、レーザ光源ＬＳ内の仮想的な面光源ＬＳｂからの射出光束のガウシアン的な強度分布（図７を参照）と、角度分布付与素子としての回折光学素子のファーフィールド分布（図９を参照）とをコンボリューションした強度分布２５を有する光束が、回折光学素子３に入射することになる。コンボリューションにより得られた強度分布２５は、レーザ光源ＬＳから射出された光のガウシアン的な強度分布を平滑化した分布、すなわち全体としてトップハット的な分布を有する。
【００４８】
また、上述の実施形態では、入射光束の角度分布の範囲よりも大きい範囲の角度分布を射出光束に付与する角度分布付与素子として、光出力口ＬＳａの直後の位置に配置された回折光学素子２ａを用いている。しかしながら、これに限定されることなく、角度分布付与素子の配置、具体的な構成などについては様々な形態が可能である。例えば、角度分布付与素子としての回折光学素子を、レーザ光源ＬＳの光出力口ＬＳａと集光光学系２ｂとの間の光路中の適当な位置に配置することにより、上述の実施形態と同様の効果を得ることもできる。
【００４９】
ただし、角度分布付与素子としての回折光学素子を光出力口の直後の位置に配置することにより、すなわち回折光学素子と光取入口とを光学的にほぼフーリエ変換の関係にすることにより、レーザ光源から射出された光の強度分布の所望の平滑化が容易になる。また、所要の発散角特性を有するプリズムアレイ、コーンレンズなどを角度分布付与素子として用いることもできる。
【００５０】
また、上述の実施形態では、露光装置本体ＥＡの光取入口ＥＡａに配置されて入射光を空間的に変調して射出する空間光変調素子として回折光学素子３を用いている。しかしながら、これに限定されることなく、所定面に沿って配列されて個別に制御される複数の光学要素を有する空間光変調器を用いることもできる。すなわち、回折光学素子３に代えて、或いは回折光学素子３に加えて、たとえば図１１に要部構成を概略的に示すような空間光変調器３０を用いても良い。
【００５１】
空間光変調器３０は、アレイ状に配列され且つ傾斜角および傾斜方向が個別に駆動制御される多数の微小な要素ミラーＳＥにより構成されて、入射光束を反射面毎の微小単位に分割して偏向させることにより、光束の断面を所望の形状または所望の大きさに変換する。このような空間光変調器を用いた照明光学系は、例えば特開２００２−３５３１０５号公報に開示されている。二次元的に配列されて個別に制御される複数のミラー要素ＳＥを有する空間光変調器３０を用いる場合、各ミラー要素ＳＥの反射膜の光照射による破損が瞳強度分布に与える影響（とりわけ光強度の均一性に与える影響）は、回折光学素子の場合よりも深刻である。また、伝送光学系２により平準化された強度分布を有する光を空間光変調器３０に入射させることにより、複数の要素ミラーＳＥの制御安定性を向上させることができる。
【００５２】
上述の実施形態では、マスクの代わりに、所定の電子データに基づいて所定パターンを形成する可変パターン形成装置を用いることができる。このような可変パターン形成装置を用いれば、パターン面が縦置きでも同期精度に及ぼす影響を最低限にできる。なお、可変パターン形成装置としては、たとえば所定の電子データに基づいて駆動される複数の反射素子を含むＤＭＤ（デジタル・マイクロミラー・デバイス）を用いることができる。ＤＭＤを用いた露光装置は、例えば特開２００４−３０４１３５号公報、国際特許公開第２００６／０８０２８５号パンフレットおよびこれに対応する米国特許公開第２００７／０２９６９３６号公報に開示されている。また、ＤＭＤのような非発光型の反射型空間光変調器以外に、透過型空間光変調器を用いても良く、自発光型の画像表示素子を用いても良い。ここでは、米国特許公開第２００７／０２９６９３６号公報の教示を参照として援用する。
【００５３】
また、上述の実施形態では、オプティカルインテグレータとして、複数の微小レンズ面を備えた波面分割型のマイクロフライアイレンズ（フライアイレンズ）を用いたが、その代わりに、内面反射型のオプティカルインテグレータ（典型的にはロッド型インテグレータ）を用いても良い。この場合、σ可変用のズームレンズ７の後側にその前側焦点位置がズームレンズ７の後側焦点位置と一致するように集光レンズを配置し、この集光レンズの後側焦点位置またはその近傍に入射端が位置決めされるようにロッド型インテグレータを配置する。このとき、ロッド型インテグレータの射出端がマスクブラインド１１の位置になる。ロッド型インテグレータを用いる場合、このロッド型インテグレータの下流の結像光学系１２内の、投影光学系ＰＬの開口絞りＡＳの位置と光学的に共役な位置を照明瞳面と呼ぶことができる。また、ロッド型インテグレータの入射面の位置には、照明瞳面の二次光源の虚像が形成されることになるため、この位置およびこの位置と光学的に共役な位置も照明瞳面と呼ぶことができる。
【００５４】
上述の実施形態の露光装置は、本願特許請求の範囲に挙げられた各構成要素を含む各種サブシステムを、所定の機械的精度、電気的精度、光学的精度を保つように、組み立てることで製造される。これら各種精度を確保するために、この組み立ての前後には、各種光学系については光学的精度を達成するための調整、各種機械系については機械的精度を達成するための調整、各種電気系については電気的精度を達成するための調整が行われる。各種サブシステムから露光装置への組み立て工程は、各種サブシステム相互の、機械的接続、電気回路の配線接続、気圧回路の配管接続等が含まれる。この各種サブシステムから露光装置への組み立て工程の前に、各サブシステム個々の組み立て工程があることはいうまでもない。各種サブシステムの露光装置への組み立て工程が終了したら、総合調整が行われ、露光装置全体としての各種精度が確保される。なお、露光装置の製造は温度およびクリーン度等が管理されたクリーンルームで行っても良い。
【００５５】
次に、上述の実施形態にかかる露光装置を用いたデバイス製造方法について説明する。図１２は、半導体デバイスの製造工程を示すフローチャートである。図１２に示すように、半導体デバイスの製造工程では、半導体デバイスの基板となるウェハＷに金属膜を蒸着し（ステップＳ４０）、この蒸着した金属膜上に感光性材料であるフォトレジストを塗布する（ステップＳ４２）。つづいて、上述の実施形態の露光装置を用い、マスク（レチクル）Ｍに形成されたパターンをウェハＷ上の各ショット領域に転写し（ステップＳ４４：露光工程）、この転写が終了したウェハＷの現像、つまりパターンが転写されたフォトレジストの現像を行う（ステップＳ４６：現像工程）。その後、ステップＳ４６によってウェハＷの表面に生成されたレジストパターンをマスクとし、ウェハＷの表面に対してエッチング等の加工を行う（ステップＳ４８：加工工程）。
【００５６】
ここで、レジストパターンとは、上述の実施形態の露光装置によって転写されたパターンに対応する形状の凹凸が生成されたフォトレジスト層であって、その凹部がフォトレジスト層を貫通しているものである。ステップＳ４８では、このレジストパターンを介してウェハＷの表面の加工を行う。ステップＳ４８で行われる加工には、例えばウェハＷの表面のエッチングまたは金属膜等の成膜の少なくとも一方が含まれる。なお、ステップＳ４４では、上述の実施形態の露光装置は、フォトレジストが塗布されたウェハＷを、感光性基板つまりプレートＰとしてパターンの転写を行う。
【００５７】
図１３は、液晶表示素子等の液晶デバイスの製造工程を示すフローチャートである。図１３に示すように、液晶デバイスの製造工程では、パターン形成工程（ステップＳ５０）、カラーフィルター形成工程（ステップＳ５２）、セル組立工程（ステップＳ５４）およびモジュール組立工程（ステップＳ５６）を順次行う。ステップＳ５０のパターン形成工程では、プレートＰとしてフォトレジストが塗布されたガラス基板上に、上述の実施形態の露光装置を用いて回路パターンおよび電極パターン等の所定のパターンを形成する。このパターン形成工程には、上述の実施形態の露光装置を用いてフォトレジスト層にパターンを転写する露光工程と、パターンが転写されたプレートＰの現像、つまりガラス基板上のフォトレジスト層の現像を行い、パターンに対応する形状のフォトレジスト層を生成する現像工程と、この現像されたフォトレジスト層を介してガラス基板の表面を加工する加工工程とが含まれている。
【００５８】
ステップＳ５２のカラーフィルター形成工程では、Ｒ（Red）、Ｇ（Green）、Ｂ（Blue）に対応する３つのドットの組をマトリックス状に多数配列するか、またはＲ、Ｇ、Ｂの３本のストライプのフィルターの組を水平走査方向に複数配列したカラーフィルターを形成する。ステップＳ５４のセル組立工程では、ステップＳ５０によって所定パターンが形成されたガラス基板と、ステップＳ５２によって形成されたカラーフィルターとを用いて液晶パネル（液晶セル）を組み立てる。具体的には、例えばガラス基板とカラーフィルターとの間に液晶を注入することで液晶パネルを形成する。ステップＳ５６のモジュール組立工程では、ステップＳ５４によって組み立てられた液晶パネルに対し、この液晶パネルの表示動作を行わせる電気回路およびバックライト等の各種部品を取り付ける。
【００５９】
また、本発明は、半導体デバイス製造用の露光装置への適用に限定されることなく、例えば、角型のガラスプレートに形成される液晶表示素子、若しくはプラズマディスプレイ等のディスプレイ装置用の露光装置や、撮像素子（ＣＣＤ等）、マイクロマシーン、薄膜磁気ヘッド、及びＤＮＡチップ等の各種デバイスを製造するための露光装置にも広く適用できる。更に、本発明は、各種デバイスのマスクパターンが形成されたマスク（フォトマスク、レチクル等）をフォトリソグラフィ工程を用いて製造する際の、露光工程（露光装置）にも適用することができる。
【００６０】
また、上述の実施形態において、投影光学系と感光性基板との間の光路中を１．１よりも大きな屈折率を有する媒体（典型的には液体）で満たす手法、所謂液浸法を適用しても良い。この場合、投影光学系と感光性基板との間の光路中に液体を満たす手法としては、国際公開第ＷＯ９９／４９５０４号パンフレットに開示されているような局所的に液体を満たす手法や、特開平６−１２４８７３号公報に開示されているような露光対象の基板を保持したステージを液槽の中で移動させる手法や、特開平１０−３０３１１４号公報に開示されているようなステージ上に所定深さの液体槽を形成し、その中に基板を保持する手法などを採用することができる。ここでは、国際公開第ＷＯ９９／４９５０４号パンフレット、特開平６−１２４８７３号公報および特開平１０−３０３１１４号公報の教示を参照として援用する。
【００６１】
また、上述の実施形態において、米国公開公報第２００６／０１７０９０１号及び第２００７／０１４６６７６号に開示されるいわゆる偏光照明方法を適用することも可能である。ここでは、米国特許公開第２００６／０１７０９０１号公報及び米国特許公開第２００７／０１４６６７６号公報の教示を参照として援用する。
【００６２】
また、上述の実施形態では、露光光としてＡｒＦエキシマレーザ光（波長：１９３ｎｍ）やＫｒＦエキシマレーザ光（波長：２４８ｎｍ）を用いているが、これに限定されることなく、他の適当な光源、たとえば波長１５７ｎｍのレーザ光を供給するＦ2レーザ光源などに対して本発明を適用することもできる。
【符号の説明】
【００６３】
２  伝送光学系
２ａ  回折光学素子（角度分布付与素子）
２ｂ  集光光学系
３  回折光学素子（空間光変調素子）
４  アフォーカルレンズ
６  円錐アキシコン系
７  ズームレンズ
８  マイクロフライアイレンズ（オプティカルインテグレータ）
１０  コンデンサー光学系
１１  マスクブラインド
１２  結像光学系
ＬＳ  レーザ光源
ＬＳａ  光出力口
ＥＡ  露光装置本体
ＥＡａ  光取入口
Ｍ  マスク
ＰＬ  投影光学系
Ｗ  ウェハ
【図１】
0005366019.tif 000002
【図２】
0005366019.tif 000003
【図３】
0005366019.tif 000004
【図４】
0005366019.tif 000005
【図５】
0005366019.tif 000006
【図６】
0005366019.tif 000007
【図７】
0005366019.tif 000008
【図８】
0005366019.tif 000009
【図９】
0005366019.tif 000010
【図１０】
0005366019.tif 000011
【図１１】
0005366019.tif 000012
【図１２】
0005366019.tif 000013
【図１３】
0005366019.tif 000014